(57)【特許請求の範囲】
【請求項１】
互いに直交する縦方向と横方向と厚さ方向とを有し、第１胴回り部と股下部と第２胴回り部とを備えた展開型使い捨ておむつであって、
前記横方向の中央部に設けられた吸収体と、
前記第２胴回り部における前記横方向の各端部に設けられたファスニングテープと、
前記ファスニングテープよりも前記縦方向の第１胴回り部側、かつ、前記吸収体よりも前記横方向の外側の領域の、少なくとも一部を切り取るための第１切り取り線及び第２切り取り線と、
を有し、
前記第１切り取り線の一端及び前記第２切り取り線の一端は、前記第２胴回り部に設けられ、
前記第１切り取り線の一端及び他端は、前記横方向の一方の端に設けられ、
前記第２切り取り線の一端及び他端は、前記横方向の前記一方の端とは反対側の他方の端に設けられていることを特徴とする展開型使い捨ておむつ。
【請求項２】
請求項１に記載の展開型使い捨ておむつにおいて、
前記横方向の両側の各位置には、それぞれ前記縦方向に沿って設けられたシート状の立体ギャザー部を有しており、
前記第１切り取り線及び第２切り取り線は、前記立体ギャザー部よりも前記横方向外側の位置に形成されていることを特徴とする展開型使い捨ておむつ。
【請求項３】
請求項１又は２に記載の展開型使い捨ておむつにおいて、
前記横方向の両側の各位置には、それぞれ前記縦方向に沿って設けられたレッグギャザー部を有しており、
前記第１切り取り線及び第２切り取り線は、前記レッグギャザー部に設けられた弾性部材よりも前記横方向外側の位置に形成されていることを特徴とする展開型使い捨ておむつ。
【請求項４】
請求項１から３のいずれか１項に記載の展開型使い捨ておむつにおいて、
前記第１切り取り線の一端及び前記第２切り取り線の一端は、前記第２胴周り部の前記横方向の最も外側の端に設けられていることを特徴とする展開型使い捨ておむつ。
【請求項５】
請求項４に記載の展開型使い捨ておむつにおいて、
前記第１切り取り線及び第２切り取り線は、前記横方向において、前記横方向の最も外側に設けられた前記第１切り取り線の一端及び前記第２切り取り線の一端から、それぞれ前記ファスニングテープの固定部の内側まで設けられていることを特徴とする展開型使い捨ておむつ。
【請求項６】
請求項１から５のいずれか１項に記載の展開型使い捨ておむつにおいて、
前記第１切り取り線及び第２切り取り線は、
それぞれ、
前記第１切り取り線の一端及び第２切り取り線の一端から前記横方向内側に向かって前記縦方向の外側に向かって凸となる湾曲形状の第１曲線状部分と、
前記第１切り取り線の他端及び第２切り取り線の他端から前記第２胴周り部に向かった直線状部分と、
前記第１曲線状部分より前記横方向内側に位置しつつ、前記第１曲線状部分と前記直線状部分とをつなぐ第２曲線状部分とを有し、
前記第２曲線状部分は、前記第１曲線状部分より大きな曲率であることを特徴とする展開型使い捨ておむつ。
【請求項７】
請求項６に記載の展開型使い捨ておむつにおいて、
前記第１切り取り線の他端及び第２切り取り線の他端は、それぞれ前記展開型使い捨ておむつの前記縦方向中央よりも前記第２胴回り部側に位置することを特徴とする展開型使い捨ておむつ。
【請求項８】
請求項６に記載の展開型使い捨ておむつにおいて、
前記吸収体は一対の切り欠き部を少なくとも１つ有し、
最も前記第２胴回り部側に位置する前記一対の切り欠き部において、一対の前記切り欠き部によって切り欠かれることによって最も幅が狭くなった前記吸収体の最狭部分が形成され、
前記最狭部分よりも、第２胴周り部側に、前記第１切り取り線の他端及び第２切り取り線の他端が位置することを特徴とする展開型使い捨ておむつ。
【請求項９】
請求項６から８のいずれか１項に記載の展開型使い捨ておむつにおいて、
前記第１切り取り線及び第２切り取り線の第１曲線状部分の前記横方向の端部における接線と、前記直線状部分との角度は、８２．５度以上１０２．５度以下であることを特徴とする展開型使い捨ておむつ。
【請求項１０】
請求項１から９のいずれか１項に記載の展開型使い捨ておむつにおいて、
前記第１切り取り線及び第２切り取り線は、前記厚さ方向に貫通する複数の貫通孔によって形成されていることを特徴とする展開型使い捨ておむつ。
【請求項１１】
請求項１０に記載の展開型使い捨ておむつにおいて、
前記第１切り取り線及び第２切り取り線の単位長さ当たりに占める前記貫通孔の長さの割合について比べた場合に、前記直線状部分の前記割合よりも、前記第１曲線状部分の前記割合の方が小さいことを特徴とする展開型使い捨ておむつ。
【請求項１２】
請求項１から１１のいずれか１項に記載の展開型使い捨ておむつにおいて、
前記第１切り取り線及び第２切り取り線の一端に対応させて前記一端の位置を示す目印が設けられていることを特徴とする展開型使い捨ておむつ。
【請求項１３】
請求項１から１２のいずれか１項に記載の展開型使い捨ておむつにおいて、
前記第１切り取り線及び第２切り取り線は、複数のシートが前記厚さ方向に重ね合わせられた位置の、少なくとも一つのシートに形成されており、
前記複数のシートのうちで一つのシートを第１シートとし、前記複数のシートのうちで前記第１シートと異なる一つのシートを第２シートとした場合に、
前記第１シートには前記第１切り取り線及び第２切り取り線が形成されており、前記第２シートには前記第１切り取り線及び第２切り取り線が形成されていないことを特徴とする展開型使い捨ておむつ。
【発明の詳細な説明】
【技術分野】
【０００１】
本発明は、展開型使い捨ておむつに関する。
【背景技術】
【０００２】
３０００グラム以下の低体重児は、母体内にいたときの、ポジショニング姿勢と呼ばれる胎児様屈曲姿勢で大半の時間を過ごす場合がある。図１Ａに示すように、側面視Ｃ字状に背中を丸めた状態であるとともに、その脚は、図１Ｂに示すようにＭ字に開脚しつつ、両膝が腹部に付くくらい引き付けられた状態となる。そして、不図示の円座上に寝かせる等の適宜な安全処理が施された上で、うつぶせ姿勢とされる。
【０００３】
このとき、低体重児によっては、安静が必要であったり、余計なストレスを与えないために、身体に触れないことが望ましいとされる場合がある。
【０００４】
このような低体重児９にも、特許文献１のような展開型の使い捨ておむつ１’が使用される。この展開型の使い捨ておむつ１’は、通常、仰向け姿勢の低体重児９への着用を考慮したもので、うつぶせ姿勢においては、ファスニングテープ７’のフック材７１’が係止される第１胴回り部１１’のターゲット領域１１４’は、低体重児９の腹側、すなわち低体重児９の身体の下に位置し、第１胴回り部１１’のターゲット領域１１４’へのフック材７１’の着脱が難しい。このため、低体重児９を仰向けに体位変更して、おむつ交換を行っている。
【先行技術文献】
【特許文献】
【０００５】
【特許文献１】特開平７−３０８３４３号
【発明の概要】
【発明が解決しようとする課題】
【０００６】
しかしながら、このような体位変更は、極力行わないのが望ましく、うつぶせ姿勢のまま低体重児９等の着用対象者におむつ１’を着脱するのが望ましい。そのため、低体重児９が仰向け姿勢の場合には、おむつ１’を通常通り使用し、低体重児９がうつぶせ姿勢の場合には、おむつ１’を前後逆に使用していた。おむつ１’を前後逆に使用すると、低体重児９は、図１Ｂのように脚を引き付けるため、通常、おむつ１’の背側に設けたお尻部分を支持する領域が、低体重児９のそけい部を圧迫してしまうという問題を生じていた。
【０００７】
本発明は、上記のような従来の問題に鑑みてなされたものであって、その目的は、うつぶせ姿勢の着用対象者にも着脱可能な展開型使い捨ておむつを提供することにある。
【課題を解決するための手段】
【０００８】
上記目的を達成するための主たる発明は、
互いに直交する縦方向と横方向と厚さ方向とを有し、第１胴回り部と股下部と第２胴回り部とを備えた展開型使い捨ておむつであって、前記横方向の中央部に設けられた吸収体と、前記第２胴回り部における前記横方向の各端部に設けられたファスニングテープと、前記ファスニングテープよりも前記縦方向の第１胴回り部側、かつ、前記吸収体よりも前記横方向の外側の領域の、少なくとも一部を切り取るための第１切り取り線及び第２切り取り線と、を有し、前記第１切り取り線の一端及び前記第２切り取り線の一端は、前記第２胴回り部に設けられ、前記第１切り取り線の一端及び他端は、前記横方向の一方の端に設けられ、前記第２切り取り線の一端及び他端は、前記横方向の前記一方の端とは反対側の他方の端に設けられていることを特徴とする展開型使い捨ておむつである。
本発明の他の特徴については、本明細書及び添付図面の記載により明らかにする。
【発明の効果】
【０００９】
本発明によれば、第１及び第２切り取り線で切り取ることで、着用対象者のそけい部の圧迫を減少させることができ、前後逆に着用することができる展開型使い捨ておむつを提供することができる。
【図面の簡単な説明】
【００１０】
【図１】図１Ａは、ポジショニング姿勢の低体重児９の概略側面図であり、図１Ｂは、図１Ａ中のＢ−Ｂ矢視図である。
【図２】本実施形態の使い捨ておむつ１の展開状態の平面図である。
【図３】図３Ａは、図２中のＡ−Ａ断面図、図３Ｂは、図２中のＢ−Ｂ断面図、及び図３Ｃは、図２中のＣ−Ｃ断面図である。
【図４】図４Ａは、通常の装着状態のおむつ１の概略斜視図であり、図４Ｂは、切り取り線１ｃで切り取った後の装着状態のおむつ１の概略斜視図である。
【図５】図５は、前後逆におむつ１を着用した時のうつぶせ姿勢の低体重児９の概略側面図である。
【図６】図６は、切り取り線１ｃを説明するための要部拡大図である。
【図７】図７は、その他の実施形態の切り取り線１ｃを説明するための要部拡大図である。
【発明を実施するための形態】
【００１１】
本明細書及び添付図面の記載により、少なくとも以下の事項が明らかとなる。  
互いに直交する縦方向と横方向と厚さ方向とを有し、第１胴回り部と股下部と第２胴回り部とを備えた展開型使い捨ておむつであって、前記横方向の中央部に設けられた吸収体と、前記第２胴回り部における前記横方向の各端部に設けられたファスニングテープと、前記ファスニングテープよりも前記縦方向の第１胴回り部側、かつ、前記吸収体よりも前記横方向の外側の領域の、少なくとも一部を切り取るための第１切り取り線及び第２切り取り線と、を有し、前記第１切り取り線の一端及び他端は、前記横方向の一方の端に設けられ、前記第２切り取り線の一端及び他端は、前記横方向の前記一方の端とは反対側の他方の端に設けられていることを特徴とする展開型使い捨ておむつである。
【００１２】
このような展開型使い捨ておむつによれば、第１及び第２切り取り線で切り取ることで、着用対象者のそけい部の圧迫を減少させることができ、前後逆に着用することができる展開型使い捨ておむつを提供することができる。
【００１３】
かかる展開型使い捨ておむつであって、前記横方向の両側の各位置には、それぞれ前記縦方向に沿って設けられたシート状の立体ギャザー部を有しており、前記第１切り取り線及び第２切り取り線は、前記立体ギャザー部よりも前記横方向外側の位置に形成されていることが望ましい。
【００１４】
このような展開型使い捨ておむつによれば、立体ギャザーの横方向外側を切り取ることになるため、立体ギャザーの横方向内側に保持する排泄物がおむつから漏出する恐れを軽減させることができる。
【００１５】
かかる展開型使い捨ておむつであって、前記横方向の両側の各位置には、それぞれ前記縦方向に沿って設けられたレッグギャザー部を有しており、前記第１切り取り線及び第２切り取り線は、前記レッグギャザー部に設けられた弾性部材よりも前記横方向外側の位置に形成されていることが望ましい。
【００１６】
このような展開型使い捨ておむつによれば、レッグギャザー部に設けられた弾性部材の横方向外側を切り取ることになるため、脚回りから排泄物が漏出する恐れを軽減することができる。
【００１７】
かかる展開型使い捨ておむつであって、前記第１切り取り線の一端及び前記第２切り取り線の一端は、前記第２胴周り部の前記横方向の最も外側の端に設けられていることが望ましい。
【００１８】
このような展開型使い捨ておむつによれば、第１及び第２切り取り線を横方向の最も外側に設けることで、作業者は第１及び第２切り取り線を容易に切り取ることができる。
【００１９】
かかる展開型使い捨ておむつであって、前記第１切り取り線及び第２切り取り線は、前記横方向において、前記横方向の最も外側に設けられた前記第１切り取り線の一端及び前記第２切り取り線の一端から、それぞれ前記ファスニングテープの固定部の内側まで設けられていることが望ましい。
【００２０】
このような展開型使い捨ておむつによれば、ファスニングテープの固定部は、おむつの他の部分より固くなっている。そのため、作業者が切り取り作業を行い易い横方向の最も外側から切り取ると、着用者のそけい部がファスニングテープの固定部付近に当接して、他より固い部分が着用者のそけい部を圧迫してしまう恐れがある。そこで、第１及び第２切り取り線をファスニングテープの固定部より横方向内側まで設けることで、固定部より内側の比較的柔らかい領域に着用者のそけい部が当接し、着用者のそけい部が圧迫される恐れを軽減させることができる。
【００２１】
かかる展開型使い捨ておむつであって、前記第１切り取り線及び第２切り取り線は、それぞれ、前記第１切り取り線の一端及び第２切り取り線の一端から前記横方向内側に向かって前記縦方向の外側に向かって凸となる湾曲形状の第１曲線状部分と、前記第１切り取り線の他端及び第２切り取り線の他端から前記第２胴周り部に向かった直線状部分と、前記第１曲線状部分より前記横方向内側に位置しつつ、前記第１曲線状部分と前記直線状部分とをつなぐ第２曲線状部分とを有し、前記第２曲線状部分は、前記第１曲線状部分より大きな曲率であることが望ましい。
【００２２】
このような展開型使い捨ておむつによれば、第１及び第２切り取り線に曲率の異なる曲線部を形成することで、おむつを前後逆に使用したとしても、着用者のそけい部に沿った形状とすることができ、着用者のそけい部の圧迫を軽減させることができる。
【００２３】
かかる展開型使い捨ておむつであって、前記第１切り取り線の他端及び第２切り取り線の他端は、それぞれ前記展開型使い捨ておむつの前記縦方向中央よりも前記第２胴回り部側に位置することが望ましい。
【００２４】
このような展開型使い捨ておむつによれば、第１及び第２切り取り線をおむつの中央より第２胴回り部側に設けることで、前後逆に使用しても着用者のそけい部の圧迫の恐れを軽減させることができるおむつを提供することができる。
【００２５】
かかる展開型使い捨ておむつであって、前記吸収体は一対の切り欠き部を少なくとも１つ有し、最も前記第２胴回り部側に位置する前記一対の切り欠き部において、一対の前記切り欠き部によって切り欠かれることによって最も幅が狭くなった前記吸収体の最狭部分が形成され、前記最狭部分よりも、第２胴周り部側に、前記第１切り取り線の他端及び第２切り取り線の他端が位置することが望ましい。
【００２６】
このような展開型使い捨ておむつによれば、着用時には、最狭部分が股下部に該当する位置になるため、その部分より第２胴回り部側を切り取ることで、切り取り線を不用意に長く形成することなく、着用者のそけい部の圧迫の恐れを軽減させることができる。
【００２７】
かかる展開型使い捨ておむつであって、前記第１切り取り線及び第２切り取り線の第１曲線状部分の前記横方向の端部における接線と、前記直線状部分との角度は、８２．５度以上１０２．５度以下であることが望ましい。
【００２８】
このような展開型使い捨ておむつによれば、第１及び第２切り取り線を所定の角度に切り取ることで、着用者のそけい部の形状に適したおむつを提供することができる。
【００２９】
かかる展開型使い捨ておむつであって、前記第１切り取り線及び第２切り取り線は、前記厚さ方向に貫通する複数の貫通孔によって形成されていることが望ましい。
【００３０】
このような展開型使い捨ておむつによれば、第１及び第２切り取り線は、複数の貫通孔で形成されているので、切り取り線を小さな力で切断することができる。
【００３１】
かかる展開型使い捨ておむつであって、前記第１切り取り線及び第２切り取り線の単位長さ当たりに占める前記貫通孔の長さの割合について比べた場合に、前記直線状部分の前記割合よりも、前記第１曲線状部分の前記割合の方が小さいことが望ましい。
【００３２】
このような展開型使い捨ておむつによれば、第１曲線状部分から切り取り始めると、初めは力を入れやすく、切り離しやすいため、不意に切り取り線部分を超えて切り取ってしまうおそれがある一方、直線状部分については、力を入れにくく、切り離しが難しいことがある。そのため、力を入れやすい第１曲線状部分の貫通孔の割合を小さくして、誤って切り取り線部分以外を切り取ることを防止することとし、力を入れにくい直線上部分の貫通孔の割合を比較的多くすることで、直線状部分を切り取り易くすることができる。
【００３３】
かかる展開型使い捨ておむつであって、前記第１切り取り線及び第２切り取り線の一端に対応させて前記一端の位置を示す目印が設けられていることが望ましい。
【００３４】
このような展開型使い捨ておむつによれば、第１及び第２切り取り線の一端の位置を示す目印が設けられていることで、切り取り線の位置を目視で認識し易くなる。
【００３５】
かかる展開型使い捨ておむつであって、前記第１切り取り線及び第２切り取り線は、複数のシートが前記厚さ方向に重ね合わせられた位置の、少なくとも一つのシートに形成されており、前記複数のシートのうちで一つのシートを第１シートとし、前記複数のシートのうちで前記第１シートと異なる一つのシートを第２シートとした場合に、前記第１シートには前記第１切り取り線及び第２切り取り線が形成されており、前記第２シートには前記第１切り取り線及び第２切り取り線が形成されていないことが望ましい。
【００３６】
このような展開型使い捨ておむつによれば、第１シートには第１及び第２切り取り線が形成されているが、第２シートには第１及び第２切り取り線が形成されていないため、おむつを横方向の両側に引っ張った際に、第１及び第２切り取り線に作用し得る引っ張り力を、切り取り線が形成されていない第２シートで効果的に受けることができ、意図せず切り取られてしまうことを防止することができる。
【００３７】
＝＝＝本実施形態＝＝＝
＜使い捨ておむつ１の構成＞
図２は、本実施形態の使い捨ておむつ１の展開状態の平面図である。また、図３Ａは、図２中のＡ−Ａ断面図、図３Ｂは、図２中のＢ−Ｂ断面図、及び図３Ｃは、図２中のＣ−Ｃ断面図である。更に、図４Ａは、通常の装着状態のおむつ１の概略斜視図である。
【００３８】
本実施形態の使い捨ておむつ１は、体重が３０００ｇ以下の児（以下、「低体重児」）のための展開型の使い捨ておむつであり、特に、体重が２５００ｇ未満の低出生体重児、体重が１５００ｇ未満の極低出生体重児、及び、体重が１０００未満の超低出生体重児に、適したおむつである。以下では、着用対象者を低体重児９として説明するが、何等これに限らず、着用対象者は、乳児や幼児でも良いし、大人でも良い。
【００３９】
図２の展開状態においては、おむつ１は、互いに直交する三方向として縦方向と横方向と厚さ方向とを有する。ここで、縦方向に関しては、第１胴回り部１１と股下部１３と第２胴回り部１２とをこの順番で並んで有していて、通常、図４Ａに示すように、第１胴回り部１１は低体重児９の腹側を覆い、股下部１３は、低体重児９の股間を覆い、第２胴回り部１２は低体重児９の背側を覆う。
【００４０】
また、おむつ１は、排泄液を吸収する略縦長形状の吸収体３と、この吸収体３よりも横方向及び縦方向の外側に突出した柔軟かつ薄厚なシート状部材と、シート状部材に固定されたファスニングテープ７、７とを有する。第１胴回り部１１と第２胴回り部１２は、それぞれ股下部１３よりも横方向の両側に突出しており、厚さ方向から見たおむつ１のシート状部材の外形形状は、略砂時計形状をなしている。
【００４１】
以下では、このシート状部材のうちで吸収体３よりも横方向の両側に突出した各部分を、「サイドフラップ１０」と言う。また、サイドフラップ１０は、第１胴回り部１１と股下部１３と第２胴回り部１２に跨がっており、以下では、第１胴回り部１１に位置するサイドフラップ１１２を「第１サイドフラップ１１２」、股下部１３に位置するサイドフラップ１３２を「股下サイドフラップ１３２」、第２胴回り部１２に位置するサイドフラップを「第２サイドフラップ１２２」、各第１サイドフラップ１１２の横方向における最も外側端部を「第１横端１１５」、各第２サイドフラップ１２２の横方向における最も外側端部を「第２横端１２５」、第１サイドフラップの縦方向における最も外側端部を「縦端１１３」、第２サイドフラップの縦方向における最も外側端部を「縦端１２３」と言う。なお、各サイドフラップ１１２、１２２、１３２の横方向における外側端部が、「端」であり、「横端」とも言う。また、以下では、厚さ方向の一方側を「肌側」とも言い、他方側を「非肌側」とも言う。ちなみに、図２の平面図は、展開状態のおむつ１を肌側から見たもので、図２中のＸ−Ｘ線は、おむつ１の製品長Ｌ１の縦方向中心を示している。
【００４２】
おむつ１のシート状部材は、吸収体３を肌側から覆う液透過性のトップシート２と、吸収体３を非肌側から覆う液不透過性の防漏シート４と、防漏シート４を非肌側から覆い、おむつ１の外形形状をなす略砂時計形状の不織布等の外装シート５と、トップシート２上に横方向に一対並んで設けられ、吸収体３の横方向の各端部にそれぞれ防漏壁としての立体ギャザー６，６を形成する一対の立体ギャザーシート６１，６１と、を有している。
【００４３】
図３Ａ乃至図３Ｃに示すように、吸収体３は、吸収性コア３１と、吸収性コア３１のほぼ全外周面を被覆する液透過性シートであるコアラップシート３２と、を有する。吸収性コア３１は、略矩形形状の液体吸収性素材で、横方向端部に一対の切り欠き３３、３４を縦方向に２つ有している。縦端１２３に近い方の切り欠きを第１切り欠き３３、３３、縦端１１３に近い方の切り欠きを第２切り欠き３４、３４とする（図２）。この一対の切り欠き３３、３４により切り欠かれることによって、吸収性コア３１及び吸収体３には、横方向に最も狭くなった最狭部分が形成される。このとき、第１切り欠き３３及び第２切り欠き３４は、いずれも縦方向における縦方向中心Ｘ−Ｘ線より縦端１１３側に形成されている。なお、吸収性コア３１の形状は何等上記の形状に限らず、例えば略砂時計形状でも良い。
【００４４】
図２、図３Ａ乃至図３Ｃに示すように、トップシート２と防漏シート４は、吸収体３の縦方向の両側及び横方向の両側から飛び出すような平面寸法を有し、接着や溶着等によって接合され、両シート２，４同士の間に吸収体３が保持されている。そして、外装シート５の肌側面に、両シート２，４及び両シート２，４同士の間に保持された吸収体３が、横方向の中央位置を互いに揃えながら重ね合わせられて接着又は溶着等で一体化されている。
【００４５】
図２、図３Ａ乃至図３Ｃに示すように、立体ギャザーシート６１，６１は、ＳＭＳ不織布等の柔軟性を有する不織布が用いられ、トップシート２の横方向の各端部をそれぞれ肌側から覆うように一対で設けられている。各立体ギャザーシート６１は、トップシート２に接着剤等で固定されて起立不能な縦方向に沿った帯状の基端部６３と、基端部６３を支点として厚さ方向の肌側に起立可能な起立部６５と、を横方向に並んで有している。そして、起立部６５の横方向の先端部には、縦方向に沿った立体ギャザー用弾性部材として糸ゴム６４が固定され、起立部６５の縦方向への収縮で、起立部６５が複数の襞を形成しながら厚さ方向の肌側に起立して、立体ギャザー６として機能する。また、起立部６５のうちの縦方向の各端部には、それぞれ当該各端部を固定する固定部６２，６２が縦方向に沿って形成されている。
【００４６】
なお、立体ギャザーシート６１は、横方向の外側へ、外装シート５の外側の端縁とほぼ同位置まで延在し、この端縁近傍で外装シート５と接着又は溶着で一体化されている（図２、図３Ａ乃至図３Ｃ）。これにより、立体ギャザーシート６１と外装シート５とが共同して、第１胴回り部１１、第２胴回り部１２及び股下部１３で、それぞれ各第１サイドフラップ１１２、各第２サイドフラップ１２２及び各股下サイドフラップ１３２を形成する。
【００４７】
各股下サイドフラップ１３２は、各第１サイドフラップ１１２及び各第２サイドフラップ１２２とともに、脚回り開口部１ＨＬを構成する部分であり、低体重児９の脚回りを覆う部分となる。そして、各股下サイドフラップ１３２には、それぞれレッグギャザー部の弾性部材として縦方向に沿った糸ゴム（レッグギャザー部に設けられた弾性部材）８が伸長状態で接着等により固定されている。この糸ゴム８の伸長状態が緩和されると、股下サイドフラップ１３２は縦方向に収縮して複数の襞が形成されて、この襞がレッグギャザーとなる。
【００４８】
おむつ１は、必要に応じて切り取る一対の切り取り線１ｃ、１ｃ（第１切り取り線、第２切り取り線）と切り取り線２ｃとを有している（図２）。詳細については、後述する。
【００４９】
ファスニングテープ７、７は、一対の第２サイドフラップ１２２、１２２の横方向の各第２横端１２５にそれぞれ設けられている（図２）。各ファスニングテープ７は、それぞれ横長形状の帯状シートをテープ基材とし、このテープ基材の横方向の一端部が第２サイドフラップ１２２の一部に固定され、他端部が第２横端１２５よりも横方向外側に突出している。そして、この突出部分の肌側面に複数の係止用突起（不図示）を備えた面ファスナーのフック材７１が固定されている。フック材７１の係止用突起が、第１胴回り部１１の非肌側面に設けられたターゲット領域１１４に引っ掛かることにより、第１胴回り部１１にファスニングテープ７が係止される。これにより、胴回り開口部１ＨＢと一対の脚回り開口部１ＨＬ，１ＨＬとが形成されて、おむつ１は低体重児９に装着される（図４Ａ、図４Ｂ）。
【００５０】
＜おむつ１の装着について＞
本実施形態におけるおむつ１の低体重児９への装着について説明する。
おむつ１を低体重児９に装着させる際には、一対のファスニングテープ７、７でおむつ１の第２胴回り部１２を横方向の両側に引っ張りながら、各ファスニングテープ７をそれぞれ第１胴回り部１１のターゲット領域１１４に係止する（図４Ａ、図４Ｂ）。
【００５１】
通常、低体重児９を仰向け姿勢にして、おむつ１の第１胴回り部１１が低体重児９の腹部を覆い、第２胴回り部１２が背部を覆うようにして装着させると（以下、「通常の装着」）、図１Ａに示すような状態となる。おむつ１は、予め、吸収性コア３１の最狭部分を基点に縦方向に二つ折りされて包装されおり、装着時にはこの最狭部分（第１切り欠き３３）を低体重児９の股下に配置させる。最狭部分（第１切り欠き３３）が、おむつ１の縦方向中心より縦端１２３側に形成されているため、低体重児９におむつ１を装着させると、低体重児９の腹側より背側の方が広く覆われる。なお、胴回り開口部１ＨＢは、低体重児９の胴回りに当接し、脚回り開口部１ＨＬは脚回りに当接し、その一部はそけい部に当接する。
【００５２】
低体重児９は、安静が必要とされ、極力体位変更を行わないことが好ましく、うつぶせ姿勢の低体重児９をおむつ交換の度に仰向けにすることは、低体重児９に余計なストレスを与えてしまう。これを防ぐために、おむつを前後逆に装着させることがあるが、従来のおむつを前後逆に装着させると、両膝が腹部に付くくらい引き付けた状態の低体重児９（図１Ａ）は、脚回り開口部１ＨＬのサイドフラップ１０によってそけい部が圧迫される恐れがある。
【００５３】
そこで、図５に示すように、うつぶせ姿勢の低体重児９には、後述の切り取り線１ｃ、１ｃ及び２ｃで切り取ったおむつ１を用いることで、おむつ１の第１胴回り部１１が低体重児９の背部を覆い、第２胴回り部１２が腹部を覆い、第２胴回り部１２に固定されたファスニングテープ７のフック材を、背部を覆っている第１胴回り部１１に係止（以下、「前後逆に装着」）した場合でも、低体重児９のそけい部の圧迫を軽減させることができる。図４Ｂは、切り取り線１ｃ、１ｃ及び２ｃで切り取った後の装着状態のおむつ１の概略斜視図である。切り取り線１ｃ、２ｃで切り取ったおむつ１は、図４Ａに示す通常の装着状態のおむつ１と比べて、脚回り開口部１ＨＬを比較的広く開口して、低体重児９のそけい部の圧迫を軽減させ、胴回り開口部１ＨＢのうち腹部を比較的露出させたものとなる。
【００５４】
＜切り取り線１ｃについて＞
以下、切り取り線１ｃについて更に詳しく説明する。
図６は、切り取り線１ｃを説明するための要部拡大図である。切り取り線１ｃ（第１切り取り線、第２切り取り線）は、装着時に脚回り開口部１ＨＬとなる部分の一部を切り取るための線であり、複数の細長い貫通孔で形成されている。この切り取り線１ｃの貫通孔の長さや、間隔については、切断性などを考慮して適宜設定される。例えば、貫通孔の長さを１ｍｍ〜３ｍｍ、貫通孔の間隔（貫通孔が無い部分の長さ）を０．５ｍｍ〜２ｍｍとすることができる。
【００５５】
切り取り線１ｃは、縦方向については、ファスニングテープ７よりも縦端１１３側で、横方向については、吸収体３よりも外側の領域に設けられている。また、一方の第２サイドフラップ１２２及び股下サイドフラップ１３２に形成された切り取り線１ｃと、他方の第２サイドフラップ１２２及び股下サイドフラップ１３２に形成された切り取り線１ｃとは、互いに、おむつ１の横方向の中心線Ｃ１に関して線対称に形成されている（図６）。
【００５６】
この各切り取り線１ｃの一端及び他端は、サイドフラップ１０の横端に設けられ、湾曲形状の曲線状部分（第１曲線状部分）１ｃＡと、縦方向に沿った直線状部分１ｃＬと、曲線状部分１ｃＡと直線状部分１ｃＬとをつなぐ曲線状部分（第２曲線状部分）１ｃＢとを有した略Ｊ字状をなしている。
【００５７】
湾曲形状の曲線状部分１ｃＡは、横方向に沿った曲線である。切り取り線１ｃの一端である曲線状部分１ｃＡの起点は、第２横端１２５のうちファスニングテープ固定部１２８より縦端１１３側に位置する。曲線状部分１ｃＡは、横方向においてファスニングテープ固定部１２８が設けられた領域内に形成された曲線で、起点から横方向の内側へ進むに従って縦端１２３に向かって凸に湾曲した形状である。
【００５８】
曲線状部分１ｃＡのうち、第２横端１２５に位置する起点と反対側の部分から、曲線状部分１ｃＡと直線状部分１ｃＬとをつなぐ曲線状部分１ｃＢが形成される。曲線状部分１ｃＢは、曲線状部分１ｃＡより大きな曲率で湾曲している。曲線状部分１ｃＢは、横方向においてファスニングテープ固定部１２８より内側に形成される。
【００５９】
続いて、曲線状部分１ｃＢから直線状部分１ｃＬが、縦方向に平行な直線に沿って縦方向の内側へと形成され、直線状部分１ｃＬは、股下サイドフラップ１３２の横端まで達する。
【００６０】
この切り取り線１ｃを切断することで、脚回り開口部１ＨＬの開口の大きさを広げることができる。特に、サイドフラップ１０のうち、おむつ１を前後逆に装着させた場合にそけい部に当接する部分を広げることができる。
【００６１】
なお、切り取り線１ｃのうち、曲線状部分１ｃＡ及び曲線状部分１ｃＢを曲線状とすることで、低体重児９に当接する部分を低体重児９のそけい部（脚）に沿った形状とすることができる。また、曲線状部分１ｃＡより曲線状部分１ｃＢの方が大きな曲率とすることで、低体重児９のそけい部により一層沿った形状とすることができ、低体重児９のそけい部の圧迫をより軽減させることができる。
【００６２】
本実施形態においては、切り取り線１ｃは、曲線状部分１ｃＡ、１ｃＢ、及び直線状部分１ｃＬから成るものとしたが、これに限られない。切り取り線１ｃの形状は適宜変更可能である。例えば、切り取り線１ｃを、全て直線としてもよく、全て曲線としてもよい。
【００６３】
また、切り取り線１ｃの一端は、サイドフラップ１０の横端に設けられ、特に、切り取り線１ｃの一端を第２横端１２５に設けて、切断の起点とすることが好ましい。作業者は、比較的広い領域である第２横端１２５やファスニングテープ固定部１２８を片手で安定して支持することができ、もう一方の手で第２横端１２５から切断し始めることができるため、切断作業を行いやすくなるためである。このとき、切り取り線１ｃの切断起点を第２横端１２５に設けて、第２横端１２５と切り取り線１ｃの切断起点における接線とが垂直であるほど、作業者は、切断しやすい傾向がある。このため、切り取り線１ｃの一端を第２横端１２５に設け、曲線状部分１ｃＡ、曲線状部分１ｃＢ、曲線状部分１ｃＬの順に切り取ることが作業者にとって、容易に切断できるルートである。
【００６４】
さらに、曲線状部分１ｃＡの第２横端１２５における接線と、直線状部分１ｃＬとの角度θを８２．５度以上１０２．５度以下とする。特に、好ましい角度θは９２．５度である。このようにすることで、低体重児９のそけい部の形状に最も適した脚回り開口部１ＨＬを形成することができ、低体重児９のそけい部を圧迫する恐れをより軽減することができる。また、上記範囲の角度θは、作業者にとっても、切り取り線１ｃの切断作業を行いやすい角度であり、誤って切り取り線１ｃ以外の部分を切り取る恐れも軽減させることができる。
【００６５】
なお、切り取り線１ｃの縦方向については、第２サイドフラップ１２２及び股下サイドフラップ１３２に渡っているが、第２サイドフラップ１２２に収まるように形成してもよく、第２サイドフラップ１２２と股下サイドフラップ１３２、更に第１サイドフラップ１１２に渡るように形成してもよい。縦方向における切り取り線１ｃの範囲については、対象とする低体重児９の身体の大きさ等によって適宜変更可能である。
【００６６】
ただし、切り取り線１ｃの他端である直線状部分１ｃＬの端をおむつ１の縦方向における中央よりも縦端１２３側に設けることが好ましい。このようにすることで、低体重児９におむつ１を前後逆に装着させる場合には、各切り取り線１ｃで切り取ることにより、低体重児９のそけい部の圧迫を軽減させることができる一方、おむつ１を通常の装着で用いる場合であっても、切り取り線１ｃが過剰に形成されていないため、不用意に切断されることを防ぎ、低体重児９のお尻等を支持することができる。
【００６７】
さらに、切り取り線１ｃの他端である直線状部分１ｃＬの端を吸収性コア３１の第１切り欠き３３による最狭部分よりも縦端１２３側に設けることが好ましい。低体重児９がおむつ１を装着すると、股下に最狭部分が位置される。このとき、最狭部分より縦端１２３側を切り取ることは、おむつ１を前後逆に装着させたことによるそけい部の圧迫を軽減させるのに必要な切断領域を確保できる一方で、不必要に広い領域を切り取ることを防ぐことができる。
【００６８】
一方、横方向については、吸収体３より外側の領域に１ｃを設けることとするが、ファスニングテープ固定部１２８より横方向の内側まで形成することが好ましい。低体重児９が膝を腹部に引き付けた場合、図６に示すクッション領域１２９により強く当接する。このとき、一方の第２サイドフラップ１２２のクッション領域１２９（図６）と、他方の第２サイドフラップ１２２のクッション領域１２９とは、互いに、おむつ１の横方向の中心線Ｃ１に関して線対称に形成されている。クッション領域１２９は、比較的柔らかい素材で構成されたサイドフラップ１０の一部分であり、切り取り線１ｃのうち曲率が最も大きな曲線状１ｃＢが形成された部分であって、低体重児９のそけい部に柔らかく当接する機能を有する。一方、ファスニングテープ固定部１２８は、他の領域に比べて固くなっているため、クッション領域１２９として機能することができない。このため、切り取り線１ｃを、横方向においてファスニングテープ固定部１２８より内側まで形成することで、そけい部が強く圧迫されることをより防ぐことができる。
【００６９】
さらに、横方向については、立体ギャザー６よりも外側で、かつ、レッグギャザー部に設けられた糸ゴム８よりも外側に切り取り線１ｃを形成している。
【００７０】
立体ギャザー６が形成された領域に切り取り線１ｃを形成し、切り取り線１ｃで切断すると、立体ギャザー６の立体ギャザーシート６１、基端部６３、及び糸ゴム６４が切断され、立体ギャザー６により保持された排泄液がおむつから漏出してしまい、防漏壁としての機能を果たせなくなってしまうからである。
【００７１】
また、糸ゴム８が位置する領域に切り取り線１ｃを設けると、糸ゴム８が切断され、股下サイドフラップ１３２によって形成された襞が崩されてしまい、排泄物が脚回りから漏出してしまうからである。
【００７２】
なお、本実施形態の切り取り線１ｃの形成位置には、複数枚のシート５、６１が存在し、具体的には、厚さ方向の肌側から立体ギャザーシート６１、及び外装シート５が存在している。切り取り線１ｃは、これらのシート５、６１を貫通した複数の貫通孔が形成されているため、作業者は、切り取り線１ｃを小さな力で切断することができる。
【００７３】
このとき、切り取り線１ｃのうち切断の起点を有する曲線状部分１ｃＡの部分は、直線状部分１ｃＬの部分に比べて、単位長さ当たりに占める貫通孔の長さの割合が小さいものする。つまり、一定の長さ（例えば、１ｃｍ）における貫通孔の長さの合計の差を比較すると、直線状部分１ｃＬの貫通孔の長さの合計をより大きくして、曲線状部分１ｃＡより直線状部分１ｃＬの方を切断し易い切り取り線としている。
【００７４】
この割合の設定は、例えば、貫通孔の長さの変更により行うことができる。貫通孔の間隔を一定に維持しつつ、貫通孔の長さを異ならせることで、切り取り線１ｃの単位長さ当たりに占める貫通孔の長さの割合を変化させることができる。
【００７５】
曲線状部分１ｃＡの切断起点が設けられた第２横端１２５は、前述のように作業者がつかみやすい部分であり、切り始めの部分であるため一般的に力を入れやすい。そのため、作業者が力を入れすぎてしまい、不意に切り取り線１ｃを超えて切り取ってしまうおそれがある。一方で、直線部分１ｃＬは、作業者がおむつ１を支持しづらい部分であり、切断作業が難しい場合がある。これらのことから、比較的力を入れやすい曲線状部分１ｃＡ部分の貫通孔の割合を小さくして、切り取り線１ｃ以外の部分を誤って切り取ることを軽減させる。一方、力を入れにくい直線状部分１ｃＬの貫通孔の割合を多く形成して、作業者が小さな力でも切断しやすいようにする。
【００７６】
なお、本実施形態においては、細長い貫通孔により切り取り線１ｃを形成したが、これに限られない。円形の貫通孔等、所定の形状の貫通孔としてもよい。また、サイドフラップ１０を貫通せず、連続した切り込みを形成して切り取り線１ｃとしてもよい。
【００７７】
以上のように、通常の装着の場合には、切り取り線１ｃで切断せずに低体重児９におむつ１を装着させることができる一方、うつぶせ姿勢の低体重児９には、切り取り線１ｃで切断したおむつ１を前後逆に装着させることができる。このように、本実施形態のおむつ１で、通常の装着と前後逆の装着の両方に適したおむつを提供することができる。
【００７８】
＜切り取り線２ｃについて＞
切り取り線２ｃは、装着時に胴回り開口部１ＨＢとなる部分の一部を切り取るための線であり、切り取り線１ｃと同様に複数の貫通孔で形成されている。
【００７９】
図６に示すように、切り取り線２ｃは、縦方向において、第２胴回り部１２の吸収体３及びファスニングテープ７より縦端１２３側に設けられた、横方向に沿った直線状の切り取り線である。
【００８０】
うつぶせ姿勢の低体重児９に対して、おむつ１を前後逆に装着させる場合には、作業者は、予め切り取り線２ｃで切り取ってから、図５に示すように低体重児９におむつ１を着用させる。おむつ１を前後逆に装着させると、第２胴回り部１２は、通常、低体重児９の腹部を広く覆うところ、切り取り線２ｃで第２胴回り部１２を切り取ることで、図４Ｂに示すように胴回り開口部１ＨＢの第２胴回り部１２が切り取られ、低体重児９の腹部を露出させることができ、低体重児９の呼吸の様子や色を観察することができる。
【００８１】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【００８２】
例えば、図７は、その他の実施形態の切り取り線１ｃを説明するための要部拡大図である。図７に示すように、切り取り線１ｃの一端が位置する第２横端１２５に、切り取り線１ｃの位置を示す目印として切り欠き部１ｋが形成されている。この切り欠き部１ｋは、横方向の内側に略Ｖ字状に形成されている。
【００８３】
切り欠き部１ｋによって、作業者は、切り取り線１ｃの位置を目視で認識しやすくなり、また、薄暗い作業環境下においても切り欠き１ｋに手で触れることで切り取り線１ｃの位置を認識することもできる。さらに、切り取り線１ｃを切り始める際に、比較的小さな力で切断することも可能となる。
【００８４】
なお、切り取り線１ｃの位置を示す目印は、略Ｖ字状の切り欠き部１ｋに限られない。例えば、半円状の切り欠き部等の所望の形状としてもよく、第２サイドフラップ１２２から突出した摘み部を形成してもよい。また、切り取り線１ｃの一端を着色して目印としてもよい。
【００８５】
さらに、上述の実施形態においては、切り取り線１ｃを複数のシート５、６１を貫通した貫通孔で形成されていたが、これに限らない。例えば、切り取り線１ｃを外装シート５（第１シートに相当）に形成して、立体ギャザーシート６１（第２シートに相当）には形成しないこととしてもよい。
【００８６】
このように、外装シート５に切り取り線１ｃを形成し、立体ギャザーシート６１に切り取り線１ｃを形成しないこととすることで、おむつ１を横方向に引っ張った際に、切り取り線１ｃ、１ｃに作用し得る引っ張り力を、切り取り線１ｃが形成されていない立体ギャザーシート６１側で効果的に受けることができる。その結果、意図せずに切り取り線１ｃで切り取られてしまうという事態を防ぐことができる。
【００８７】
上述の実施形態においては、立体ギャザーシート６１が設けられた領域内にレッグギャザーの弾性部材である糸ゴム８が配置されているがこれに限らない。例えば、糸ゴム８が立体ギャザーシート６１よりも横方向の外側に位置するおむつ１でもよく、立体ギャザー６を有さないおむつ１であってもよい。
【符号の説明】
【００８８】
１  おむつ（使い捨ておむつ）、
１０  サイドフラップ、
１１  第１胴回り部、
１１２  第１サイドフラップ（端）、１１３  縦端、
１１４  ターゲット領域、１１５  第１横端、
１２  第２胴回り部、
１２２  第２サイドフラップ（端、横端）、１２３  縦端、１２５  第２横端、
１２８  ファスニングテープ固定部（ファスニングテープが固定されている部分）、
１２９  クッション領域、
１３  股下部、１３２  股下サイドフラップ（端）、
２  トップシート、
３  吸収体、
３１  吸収性コア、３２  コアラップシート、
３３  第１切り欠き、３４  第２切り欠き、
４  防漏シート、
５  外装シート、
６  立体ギャザー、
６１  立体ギャザーシート、６２  固定部、６３  基端部、
６４  糸ゴム（立体ギャザー用弾性部材）、６５  起立部、
７  ファスニングテープ、７１  フック材、
８  糸ゴム（レッグギャザーに設けられた弾性部材）、
９  低体重児（着用対象者）、
１ＨＢ  胴回り開口部、１ＨＬ  脚回り開口部、
１ｃ  切り取り線（第１切り取り線、第２切り取り線）、
１ｃＡ  曲線状部分、１ｃＢ  曲線状部分、１ｃＬ  直線状部分、
１ｋ  切り欠き部（目印）、
２ｃ  切り取り線、２ｋ  切り欠き部
【図１】
0006387322.tif 000002
【図２】
0006387322.tif 000003
【図３】
0006387322.tif 000004
【図４】
0006387322.tif 000005
【図５】
0006387322.tif 000006
【図６】
0006387322.tif 000007
【図７】
0006387322.tif 000008